(57)【要約】【課題】塗装済みのアスベスト含有塗材の剥離中にアスベストの飛散もなく施工箇所の制限もないアスベスト含有塗材剥離溶剤を提供する。【解決手段】塗装済みのアスベスト含有塗材を剥離するためのアスベスト含有塗材剥離溶剤は、アスベスト飛散防止剤と、塗材軟化剤とからなる。アスベスト飛散防止剤は、塗装済みのアスベスト含有塗材のアスベストと結合することでアスベストの飛散を防止可能なものである。また、塗材軟化剤は、アスベスト飛散防止剤と混合され、塗装済みのアスベスト含有塗材に浸透することで塗装済みのアスベスト含有塗材を軟化可能なものである。【選択図】なし【特許請求の範囲】
【請求項１】
塗装済みのアスベスト含有塗材を剥離するためのアスベスト含有塗材剥離溶剤であって、該アスベスト含有塗材剥離溶剤は、
塗装済みのアスベスト含有塗材のアスベストと結合することでアスベストの飛散を防止可能なアスベスト飛散防止剤と、
前記アスベスト飛散防止剤と混合され、塗装済みのアスベスト含有塗材に浸透することで塗装済みのアスベスト含有塗材を軟化可能な塗材軟化剤と、
を具備することを特徴とするアスベスト含有塗材剥離溶剤。
【請求項２】
請求項１に記載のアスベスト含有塗材剥離溶剤において、前記アスベスト飛散防止剤は、前記塗材軟化剤による作用により塗装済みのアスベスト含有塗材が軟化されることで、塗装済みのアスベスト含有塗材内に浸透することが促進されるものであることを特徴とするアスベスト含有塗材剥離溶剤。
【請求項３】
請求項１又は請求項２に記載のアスベスト含有塗材剥離溶剤において、前記塗材軟化剤は、前記アスベスト飛散防止剤による作用により塗装済みのアスベスト含有塗材が覆われることで、塗装済みのアスベスト含有塗材内に浸透することが促進されるものであることを特徴とするアスベスト含有塗材剥離溶剤。
【請求項４】
請求項１乃至請求項３の何れかに記載のアスベスト含有塗材剥離溶剤において、前記アスベスト飛散防止剤と塗材軟化剤との混合比は、塗装済みのアスベスト含有塗材の成分及び／又は塗膜厚に応じて調整可能であることを特徴とするアスベスト含有塗材剥離溶剤。
【請求項５】
請求項１乃至請求項４の何れかに記載のアスベスト含有塗材剥離溶剤において、前記アスベスト飛散防止剤は、ケイ酸ナトリウム及びケイ酸リチウムを少なくとも含有することを特徴とするアスベスト含有塗材剥離溶剤。
【請求項６】
請求項１乃至請求項５の何れかに記載のアスベスト含有塗材剥離溶剤において、塗装済みのアスベスト含有塗材がエポキシ系塗材の場合、前記塗材軟化剤は、エステル系高沸点溶剤及び複素環状系有機化合物を少なくとも含有することを特徴とするアスベスト含有塗材剥離溶剤。
【発明の詳細な説明】
【技術分野】
【０００１】
本発明はアスベスト含有塗材剥離溶剤に関し、特に、塗装済みのアスベスト含有塗材を剥離するためのアスベスト含有塗材剥離溶剤に関する。
【背景技術】
【０００２】
アスベストは耐火、断熱等に優れた機能を持ち、塗材に含有させて数多くの建築物の壁面等に使用されてきた。しかしながら、劣化したアスベストが周辺に飛散し、それを吸引した者の健康被害問題となっている。このため塗装済みのアスベスト含有塗材の除去が大規模に行われるようになってきている。
【０００３】
一般的なアスベスト含有塗材の剥離手法としては、ウォータージェット工法が知られている（例えば特許文献１等）。これは、高圧水を用いて壁面等に塗装済みのアスベスト含有塗材を剥離するものである。また、同時吸引式ウォータージェット工法も知られている。これは、吸引式カップを用いてカップ内で高圧水を噴射し、湿潤剥離、吸引を行うものである（例えば特許文献２等）。
【先行技術文献】
【特許文献】
【０００４】
【特許文献１】特開２０１０−２２２７８６
【特許文献２】特開２０１６−０５６５２１
【発明の概要】
【発明が解決しようとする課題】
【０００５】
しかしながら、ウォータージェット工法は、レベル１相当の施工となるため、作業場は負圧となるように養生され、完全に隔離される必要があった。また、作業者は防護服の着用が必須であり、夏場の施工では熱中症のおそれもあった。さらに、クリーンルームを設置しなければいけなかった。また、水圧が強いため、壁面自体が破壊されるおそれもあった。そして、アスベストが含有している除去水をフィルタにより濾過する必要もあった。
【０００６】
また、同時吸引式ウォータージェット工法については、吸引式カップの幅より小さい箇所や隅角部、曲面部等の施工は行えなかった。また、水圧が強いため、壁面自体が破壊されるおそれもあった。そして、アスベストが含有している除去水をフィルタにより濾過する必要もあった。
【０００７】
したがって、アスベスト含有塗材の剥離中にアスベストの飛散もなく施工箇所の制限もない剥離技術の開発が望まれていた。
【０００８】
本発明は、斯かる実情に鑑み、塗装済みのアスベスト含有塗材の剥離中にアスベストの飛散もなく施工箇所の制限もないアスベスト含有塗材剥離溶剤を提供しようとするものである。
【課題を解決するための手段】
【０００９】
上述した本発明の目的を達成するために、本発明によるアスベスト含有塗材剥離溶剤は、塗装済みのアスベスト含有塗材のアスベストと結合することでアスベストの飛散を防止可能なアスベスト飛散防止剤と、アスベスト飛散防止剤と混合され、塗装済みのアスベスト含有塗材に浸透することで塗装済みのアスベスト含有塗材を軟化可能な塗材軟化剤と、
を具備するものである。
【００１０】
ここで、アスベスト飛散防止剤は、塗材軟化剤による作用により塗装済みのアスベスト含有塗材が軟化されることで、塗装済みのアスベスト含有塗材内に浸透することが促進されるものであれば良い。
【００１１】
また、塗材軟化剤は、アスベスト飛散防止剤による作用により塗装済みのアスベスト含有塗材が覆われることで、塗装済みのアスベスト含有塗材内に浸透することが促進されるものであれば良い。
【００１２】
また、アスベスト飛散防止剤と塗材軟化剤との混合比は、塗装済みのアスベスト含有塗材の成分及び／又は塗膜厚に応じて調整可能である。
【００１３】
また、アスベスト飛散防止剤は、ケイ酸ナトリウム及びケイ酸リチウムを少なくとも含有するものであれば良い。
【００１４】
また、塗装済みのアスベスト含有塗材がエポキシ系塗材の場合、塗材軟化剤は、エステル系高沸点溶剤及び複素環状系有機化合物を少なくとも含有するものであれば良い。
【発明の効果】
【００１５】
本発明のアスベスト含有塗材剥離溶剤には、塗装済みのアスベスト含有塗材の剥離中にアスベストの飛散もなく施工箇所の制限もないという利点がある。
【発明を実施するための形態】
【００１６】
以下、本発明を実施するための形態を図示例と共に説明する。塗装済みのアスベスト含有塗材を剥離するための本発明のアスベスト含有塗材剥離溶剤は、アスベスト飛散防止剤と、塗材軟化剤と、を具備している。アスベスト含有塗材剥離溶剤を壁面等に塗装されたアスベスト含有塗材に塗布し、アスベスト含有塗材に浸透させ、壁面等からアスベスト含有塗材を安全に剥離させるものである。
【００１７】
アスベスト飛散防止剤は、塗装済みのアスベスト含有塗材のアスベストと結合することでアスベストの飛散を防止可能なものである。アスベスト飛散防止剤としては、具体的には、例えばケイ酸ナトリウム及びケイ酸リチウムを少なくとも含有するものであれば良い。アスベスト飛散防止剤は、粘性を有するものである。アスベスト飛散防止剤は、塗装済みのアスベスト含有塗材内のアスベストと結合し、アスベストが粉塵状にならなず凝固して空気中に飛散することを防止可能なものであれば良い。
【００１８】
塗材軟化剤は、アスベスト飛散防止剤と混合されるものである。塗材軟化剤は、塗装済みのアスベスト含有塗材に浸透することで、塗装済みのアスベスト含有塗材を軟化可能とするものである。塗材軟化剤は、塗装済みのアスベスト含有塗材の種類に応じて選択されれば良い。具体的には、例えば塗装済みのアスベスト含有塗材がエポキシ系塗材の場合、塗材軟化剤は、エステル系高沸点溶剤及び複素環状系有機化合物を少なくとも含有するものであれば良い。塗材軟化剤は、塗装済みのアスベスト含有塗材の塗膜を溶解させるのではなく、軟化させて剥離させるため、飛散することもなく回収も容易となる。
【００１９】
ここで、アスベスト飛散防止剤は、塗材軟化剤による作用により塗装済みのアスベスト含有塗材が軟化されることで、塗装済みのアスベスト含有塗材内に浸透することが促進されるものであれば良い。即ち、アスベスト飛散防止剤単体では、硬化した塗装済みのアスベスト含有塗材内に浸透しづらいが、本発明のアスベスト含有塗材剥離溶剤では、塗材軟化剤を含有しているため、塗材軟化剤によりアスベスト含有塗材が軟化し、アスベスト飛散防止剤が浸透しやすくなる。これにより、塗装済みのアスベスト含有塗材の内部の壁面境界までアスベスト飛散防止剤を浸透させることが可能となる。
【００２０】
一方、塗材軟化剤は、アスベスト飛散防止剤による作用により塗装済みのアスベスト含有塗材が覆われることで、塗装済みのアスベスト含有塗材内に浸透することが促進されるものであれば良い。即ち、塗材軟化剤単体では、揮発性が高いため塗装済みのアスベスト含有塗材に浸透するよりも先に揮発してしまうおそれがあるが、本発明のアスベスト含有塗材剥離溶剤では、アスベスト飛散防止剤を含有しているため、粘性を有するアスベスト飛散防止剤により塗装済みのアスベスト含有塗材が覆われる。これにより、所謂コーティングの効果が得られ、塗材軟化剤が揮発するのを抑えられ塗装済みのアスベスト含有塗材内に浸透しやすくなる。したがって、塗布後にラッピングも不要であり、作業効率が高い。
【００２１】
ここで、本発明のアスベスト含有塗材剥離溶剤において、アスベスト飛散防止剤と塗材軟化剤との混合比は、塗装済みのアスベスト含有塗材の成分に応じて調整すれば良い。例えば塗装済みのアスベスト含有塗材がエポキシ系塗材の場合、アスベスト飛散防止剤は、例えばケイ酸ナトリウムが２０−３０％含有し、ケイ酸リチウムが０．１−０．２％含有するものであれば良い。また、塗材軟化剤は、エステル系高沸点溶剤が６０−７０％含有し、複素環状系有機化合物が２０−３０％含有するものであれば良い。なお、これらはあくまでも一例であり、塗装済みのアスベスト含有塗材の成分に応じて適宜調整されるものである。また、塗装済みのアスベスト含有塗材の塗膜厚に応じて調整されても良い。
【００２２】
このように構成された本発明のアスベスト含有塗材剥離溶剤は、以下のように使用されれば良い。まず、刷毛やローラー刷毛等を用いて本発明のアスベスト含有塗材剥離溶剤をアスベスト含有塗材が塗装された壁面に塗布する。この際、従来技術のような養生や隔離処理は不要である。さらに、作業者は防護服の着用も不要である。そして、本発明のアスベスト含有塗材剥離溶剤を塗布後、塗装済みのアスベスト含有塗材に浸透するまで所定時間そのまま放置すれば良い。具体的には、例えば塗布後２４時間程度放置する。なお、塗装済みのアスベスト含有塗材に応じて放置時間は調整されれば良い。これにより塗装済みのアスベスト含有塗材が軟化する。この状態で、ヘラ等により塗装済みのアスベスト含有塗材を剥離すれば良い。剥離作業はヘラやノミ等を用いることが可能であるため、隅角部や曲面部等における施工も容易である。また、剥離時に壁面自体を破壊するおそれも少ない。さらに、塗装済みのアスベスト含有塗材がある程度固まった状態で剥離されるため、剥離後の処理も袋等に入れて回収するだけで良い。このとき、塗装済みのアスベスト含有塗材は、本発明のアスベスト含有塗材剥離溶剤によりアスベストが飛散防止された状態であるため、空気中にアスベストを飛散させることもない。
【００２３】
このように、本発明のアスベスト含有塗材剥離溶剤によれば、防護服やクリーンルームも不要であり、軽装な作業服により作業が行えるため、作業者の負担が非常に少なく剥離作業を行える。また、現場の養生等も不要であり隔離する必要もないため、剥離するための工期や費用を大幅に減らすことも可能である。
【００２４】
なお、本発明のアスベスト含有塗材剥離溶剤は、上述の図示例にのみ限定されるものではなく、本発明の要旨を逸脱しない範囲内において種々変更を加え得ることは勿論である。